(57)【要約】      （修正有）【課題】つるし雛のの趣向性を向上させるため、中空で回転できるように構成した回転つるし雛を提供する。【解決手段】回転つるし雛１０は、回転フレーム部１１と、上記回転フレーム部１１に取り付けられた複数本の紐１２に長さ方向に沿って固定され、吊下される複数の雛１３を備えた雛部１４と、上記フレーム部材１１を吊下して回転させる回転駆動部１５を備えている。上記回転フレーム部１１は、リング状に形成されたフレーム部材本体と、上記フレーム部材本体に端部が固定されて回転駆動部１５に吊下しうる吊下部とを有する。上記吊下部は、先端にフック１８が形成された中心軸部と、上記中心軸部に収斂して固定される４本の支持部材とからなる。【選択図】図１
0003180124.tif 000002
【実用新案登録請求の範囲】
【請求項１】
回転フレーム部と、上記回転フレーム部に取り付けられた複数本の紐に長さ方向に沿って固定され、吊下される複数の雛を備えた雛部と、上記回転フレーム部を回転させる回転駆動部を備えたことを特徴とする回転つるし雛。
【請求項２】
上記回転駆動部は、電源部と、上記電源部からの電源供給により駆動されるモータ部と、上記モータ部により回転駆動される雛部材吊下部とを備えたことを特徴とする請求項１記載の回転つるし雛。
【請求項３】
上記雛部材吊下部は、上記モータ部の回転駆動軸の先端部に設けられたフック部材を有することを特徴とする請求項２記載の回転つるし雛。
【請求項４】
上記回転駆動軸の中間部にはオルゴールが設けられていることを特徴とする請求項３記載の回転つるし雛。
【請求項５】
上記電源部からの電源を供給又は停止させるスイッチ部が設けられていることを特徴とする請求項２記載の回転つるし雛。
【考案の詳細な説明】
【技術分野】
【０００１】
本考案は、回転つるし雛に係り、特に、つるし雛を中空で回転させることができるように構成された回転つるし雛に関する。
【背景技術】
【０００２】
従来より、ひな人形及び、動物を模した雛、玩具を模した雛、道具を模した雛等の様々な種類の雛としての飾り具を、夫々、複数本の紐に固定し、これらの複数本の紐を円形状のフレーム部材に固定して中空に配置するいわゆる「つるし雛」が提案されている（特許文献１）。
【０００３】
しかしながら、このような従来のつるし雛にあっては、紐に多数固定された雛が空中に静止して配置されるのみであり、趣向性に欠けるものであった。
【特許文献１】実用新案登録第３１０８１１０号公報
【考案の開示】
【考案が解決しようとする課題】
【０００４】
本考案はこのような従来からの不具合を解決するためのものであって、その課題は、従来のつるし雛の趣向性をさらに向上させることにある。
【課題を解決するための手段】
【０００５】
上記課題達成のため、請求項１記載の考案にあっては、回転フレーム部と、上記回転フレーム部に取り付けられた複数本の紐に長さ方向に沿って固定され、吊下される複数の雛を備えた雛部と、上記回転フレーム部を回転させる回転駆動部を備えたことを特徴とする。
【０００６】
請求項２記載の考案にあっては、上記回転駆動部は、電源部と、上記電源部からの電源供給により駆動されるモータ部と、上記モータ部により回転駆動される雛部材吊下部とを備えたことを特徴とする。従って、雛部材吊下部は上記モータ部により回転駆動される。
【０００７】
請求項３記載の考案にあっては、上記雛部材吊下部は、上記モータ部の回転駆動軸の先端部に設けられたフック部材を有することを特徴とする。従って、雛部材は上記フック部に吊下されて回転する。
【０００８】
請求項４記載の考案にあっては、上記回転駆動軸の中間部にはオルゴールが設けられていることを特徴とする。従って、本請求項記載の発明にあっては、雛部材が回転する際にはオルゴールが鳴る。
【０００９】
請求項５記載の考案にあっては、上記電源部からの電源を供給又は停止させるスイッチ部が設けられていることを特徴とする。
【考案の効果】
【００１０】
請求項１〜５記載の考案に係る発明にあっては、雛部は上記回転駆動部により空中において回転するように構成されていることから、従来のつるし雛の趣向性をさらに向上させることができ、子供、赤子も中空で回転する雛を見ることにより、動的に雛の鑑賞をすることができ、ひな人形、つるし雛の全く新たな鑑賞の仕方を提供することができる。
【００１１】
請求項４記載の発明にあっては、上記効果に加えて、上記モータの回転駆動軸の中間部にはオルゴールが設けられていることから、雛部材の回転時には同時にオルゴールにより音楽を奏でることができ、より雛人形を鑑賞する環境の品質を向上させることができる。
その結果、動的な雛の動きに加えて、雛の動きに合った音楽が奏でられることにより、さらに趣向性を高めることができる。
【図面の簡単な説明】
【００１２】
【図１】本考案に係る回転つるし雛の一実施の形態を示す斜視図である。
【図２】本考案に係る回転つるし雛に使用されるフレーム部材の一実施の形態を示す斜視図である。
【図３】本考案に係る回転つるし雛に使用される回転駆動部の内部構造を示す分解平面図である。
【考案を実施するための最良の形態】
【００１３】
以下、添付図面に示す実施の形態に基づき、本考案を詳細に説明する。
図１及び図２に示すように、本実施の形態に係る回転つるし雛１０は、回転フレーム部１１と、上記回転フレーム部１１に取り付けられた複数本の紐１２に長さ方向に沿って固定され、吊下される複数の雛１３を備えた雛部１４と、上記フレーム部材１１を吊下して回転させる回転駆動部１５を備えている。
【００１４】
図２に示すように、上記回転フレーム部１１は、リング状に形成されたフレーム部材本体１６と、上記フレーム部材本体１６に端部が固定されて回転駆動部１５に吊下しうる吊下部１７とを有する。
【００１５】
上記吊下部１７は、先端にフック１８が形成された中心軸部１９と、上記中心軸部１９に収斂して固定される４本の支持部材２０とからなる。図中、符号２１は回転フレーム部１１に被覆される布製のカバーである。
【００１６】
本実施の形態にあっては、図１に示すように、複数の紐１２に所定間隔を置いて複数の雛１３が連続して固定されている。
図２に示すように、本実施の形態にあっては、上記雛部１４が吊下された回転フレーム部１１は薄型円盤状に形成された回転駆動部１５により回転駆動される。
【００１７】
図３に示すように、回転駆動部１５は、電源部２２と、上記電源部２２からの電源供給により駆動されるモータ部２８と、上記モータ部２８により回転駆動される雛部材吊下部２４とを備え、全体薄型円盤状のハウジング２７内に収納されている。
【００１８】
上記雛部材吊下部２４は、上記モータ部２８の回転駆動軸２６の先端部に設けられたフック部材２５を有しており、上記回転駆動軸２６の中間部にはオルゴール２８が設けられている。
【００１９】
上記回転駆動部２６には、上記電源部２２からの電源を供給又は停止させるスイッチ部３３が設けられている。スイッチ部３３は、ハウジング２７の側面部２９に開設された孔部３０に固定され、レバー部３１がハウジング２７の外方へ突出して配置され、レバー部３１によりＯＮ／ＯＦＦ操作を行えるように構成されている。なお、図３中、符号３４は電線である。
【００２０】
以下、本実施の形態に係る回転つるし雛の作用について説明する。
本実施の形態に係る回転つるし雛１０を使用する場合には、図１に示すように、回転駆動部１５の頂部に形成された係止部３２に紐等を通し、天井等に固定する。
その後、スイッチ部３３をレバー３１によりＯＮ操作して、電源部２２から電線３４を介してモータ部２８に電源が供給し、モータ部２８が作動して回転駆動軸２６が回転する。
【００２１】
この場合、回転駆動軸２６の先端部はハウジング２７の外方に配置され、フック部材２５が固定されており、フック部材２５に係合する回転フレーム部１１のフック１８を介して、回転フレーム部１１及び雛部１４は空中で回転する。
【００２２】
そして、図３に示すように、上記回転駆動軸２６の中間部にはオルゴール２８が配設されていることから、回転駆動軸２６の回転に伴い、オルゴール２８が作動する。その結果、モータ部の作動時には同時にオルゴール２８が作動することから、雛部１４の回転に伴い、オルゴール２８により所定の音楽が奏でられる。
【００２３】
従って、本実施の形態に係る回転つるし雛１０を作動させた場合には、回転フレーム部１１に吊下された雛部１４が中空において回転することから、多数の雛１３が回転により多彩な動きを行い、赤子、子供は動く雛を見ることにより大変に喜び、大人が見た場合であっても、つるし雛の新たな楽しみ方ができることから、つるし雛の趣向性を大幅に向上させることができる。
さらに、本実施の形態にあっては、回転駆動部１５にはオルゴール２８を有することから、雛１３の回転に伴い、所定の音楽が流れることから、さらに、趣向性を向上させることができる。なお、回転駆動部１５及び回転フレーム部１１の具体的構成に関しては、上記実施の形態に限定されない。
【００２４】
また、本実施の形態にあっては、回転駆動部１５は経典フレーム部１１を吊り下げるように構成されている場合を例に説明したが、本実施の形態に限定されず、回転フレーム部１１内に設けられていてもよく、また、回転駆動部１５にも受けられたスイッチ部３３は、ハウジング２７に設けられるのではなく、リモコンスイッチにより構成されていてもよい。また、オルゴール２８に関しては、複数の音楽が選択的に演奏されるように構成されていてもよい。
【産業上の利用可能性】
【００２５】
本考案は、広く、つるし雛に適用することができることから、産業上の利用可能性を有している。
【符号の説明】
【００２６】
１０  回転つるし雛
１１  回転フレーム部
１２  紐
１３  雛
１４  雛部
１５  回転駆動部
１６  フレーム部材本体
１７  吊下部
１８  フック
１９  中心軸部
２０  支持部材
２１  カバー
２２  電源供給部
２３  モータ部
２４  雛部材吊下部
２５  フック部材
２６  回転駆動軸
２７  ハウジング
２８  オルゴール
２９  側面部
３０  孔部
３１  レバー部
３２  係止部
３３  スイッチ部    
３４  電線
【図１】
0003180124.tif 000003
【図２】
0003180124.tif 000004
【図３】
0003180124.tif 000005